(57)【要約】【課題】熱源であるヒーターが吹出口から離れたところにあり、ダクトで温風を送風しているため、送風途中で長い待機時間があり、熱ロスが大きく吹出口温度が下がり乾燥時間の短縮化が図れなかったり、冬には、手乾燥の初期段階で長い送風ダクト内の冷たい空気が吹き出され、初期に冷たい風が手に当たって使用者に冷たい思いをさせるという課題があった。【解決手段】手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続するダクトを備えた洗面一体型手乾燥装置であって、前記吹出空気連通室内にヒーターを設けた手乾燥装置を提供する。【選択図】図１
2006304926.tif 000002
【特許請求の範囲】
【請求項１】
手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続する送風ダクトを備えた洗面一体型手乾燥装置であって、前記風吹出し連通室にヒーターを設けたことを特徴とする洗面一体型手乾燥装置。
【請求項２】
手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室にヒーターを設け、かつ、前記ヒーターと前記風吹出しノズルとの間に、前記風吹出しノズルから前記風吹出し連通室に流入する逆飛散水が前記ヒーターにかかるのを防御する防御手段を有したことを特徴とする洗面一体型手乾燥装置。
【請求項３】
前記防御手段は、風吹出しノズル風路の延長線上で、かつ、風吹出しノズル口近傍の風吹出し連通室内の上部内壁面に、逆飛散水を受けて滴下する水返し滴下壁を設けたことを特徴とする請求項２記載の洗面一体型手乾燥装置。
【請求項４】
前記防御手段は、風吹出し連通室内には、風吹出しノズルの風上側に風吹出口からの水の逆飛散水を堰止めする堰止壁を設けたことを特徴とする請求項２または請求項３に記載の洗面一体型手乾燥装置。
【請求項５】
前記防御手段は、風吹出し連通室内の下部には、前記風吹出しノズルの風上側に風吹出口からの水の逆飛散水の溜まり水による浸漬を防ぐヒーター台を設け、前記ヒーター台の上にヒーターを配設したことを特徴とする請求項２記載の洗面一体型手乾燥装置。
【請求項６】
前記風吹出し連通室内の下部には、前記ファンモーターと接続する送風ダクトとを連通させる開口周りに前記風吹出し連通室内に立ち上がり、送風ダクト内への逆飛散水の浸入を防止する防水壁を設けたことを特徴とする請求項１記載の洗面一体型手乾燥装置。
【請求項７】
手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続する送風ダクトを備え、前記吹出空気連通室内にヒーターを設けた洗面一体型手乾燥装置であって、風吹出し連通室内には、前記ヒーターと前記風吹出しノズルとの間に、風吹出しノズルの風上側に前記風吹出しノズルからの水の逆飛散水を堰止めするために設けた堰止壁と、前記風吹出しノズルの風上側に前記風吹出しノズルからの水の逆飛散水を堰止めするために設けたヒーター台と、前記風吹出し連通室内の下部に、前記ファンモーターと接続する送風ダクトとを連通させる開口周りに前記風吹出し連通室内に立ち上がり、送風ダクト内への逆飛散水の浸入を防止する防水壁とを備え、前記堰止壁、前記ヒーター台、前記防水壁の前記風吹出し連通室内の下部からの高さの関係は、前記堰止壁より前記防水壁を高く、前記防水壁よりさらに前記ヒーター台を高く配設したことを特徴とする洗面一体型手乾燥装置。
【請求項８】
前記防御手段は、風吹出しノズル風路の延長線上で、かつ、風吹出しノズル口近傍の風吹出し連通室内の上部内壁面に、風圧により開閉するダンパーを設け、前記ファンモーターの停止時に、前記ダンパーが前記風吹出しノズル風路を塞ぐことを特徴とする請求項２記載の洗面一体型手乾燥装置。
【請求項９】
手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記洗面器の内面方向に吹出気流を案内する案内板を前記風吹出しノズル内に設けたことを特徴とする洗面一体型手乾燥装置。
【請求項１０】
手を洗浄し乾燥する洗面器の上部に、洗浄水を出す水吐出口と、その近傍に洗浄した手の湿りを強制的に温風乾燥する風吹出しノズルと手を乾燥する手洗いスペースを有し、前記風吹出しノズルを設けた風吹出し連通室と、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室内で通風路を形成し、前記風吹出しノズルからの吹出気流を整流する格子形状をした整流放熱フィンを有するＰＴＣヒーターを設けたことを特徴とする洗面一体型手乾燥装置。
【請求項１１】
手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、通風路を横断する板状の半導体発熱素子の両面に、通風路の流れに添って波形の整流放熱フィンを植設したことを特徴とする洗面一体型手乾燥装置。
【請求項１２】
手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室内にヒーターを設け、前記ファンモーターおよびその制御をおこなう制御基板を組み込んだ収納ボックスを有し、前記収納ボックスのファンモーター吸い込み側の吸込口に、除塵と脱臭と消音と殺菌のいずれか若しくはそれらの組み合わせの特性を有するフィルターを設けたことを特徴とする洗面一体型手乾燥装置。
【請求項１３】
手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを有する風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室内にヒーターを設け、前記ファンモーターおよびその制御をおこなう制御基板を組み込んだ収納ボックスを有し、前記収納ボックスの前面側に凹部接続スペースを設け、前記ヒーターからの配線を接続する電気接続部を、前記凹部接続スペースの奥の面または天面に配設したことを特徴とする洗面一体型手乾燥装置。
【請求項１４】
前記凹部接続スペースは、前面側の開口部が前記凹部接続スペースの奥の面から前面側に向かって拡大して形成されたことを特徴とする請求項１３に記載の洗面一体型手乾燥装置。
【請求項１５】
前記ファンモーター吸い込み側の吸込口に設けたフィルターを前記収納ボックスの下部に設け、前記ヒーターからの配線を接続する電気接続部を前記収納ボックスの上部に配設したことを特徴とする請求項１３または請求項１４に記載の洗面一体型手乾燥装置。
【発明の詳細な説明】
【技術分野】
【０００１】
本発明は、洗面所やトイレ等で手を洗った場合、濡れた手を乾燥させる洗面台に設けた洗面一体型の手乾燥装置に関する。
【背景技術】
【０００２】
従来、この種の手乾燥装置としては、手洗器を組み込んだ洗面台上面部に温風吹き出しノズルを設置し、該温風吹き出しノズルと洗面台下方の空間に配置したファンモータとを備えた温風発生機とダクトで連結したものが知られている。図１９に基づいてその具体例を説明する。図１９に示すように、全自動洗面装置２００は、洗面台等取付基体２０２の上側において、ケーシング２０４の前面に石鹸液の吐出口２０６と、温水の吐出口２０８とが設けられており、人体検知センサー２１０、２１２による手感知に基づいて吐出口２０６から石鹸液を自動的に吐出し、また吐出口２０８から温水を吐水するようになっている。洗面一体型の手乾燥装置２１４は、この全自動洗面装置２００に備え付けられ、洗浄して濡れた手を温風乾燥するものであり、温風の吹出口２１６を備えている。この吹出口２１６は石鹸液の吐出口２０６、吐水口２０８等と共に取付基体２０２の上側においてケーシング２０４の前面に設けられており、人体検知センサ２１８による手感知に基づいて吹出口２１６から自動的に温風を吹き出し、濡れた手を乾燥させる。手乾燥装置２１４はまた、取付基体２０２の下側において送風機２２４およびヒーター２１９を備えた乾燥機本体２２０を有しており、送風機２２４にて送り出した空気をヒーター２１９の加熱作用で温風となして、これを送風管２２２を通じて吹出口２１６へと送るようになっている（例えば、特許文献１、特許文献２参照）。
【０００３】
また、送風機とヒーターと吹出口とを備えた手乾燥装置を、取付基体としての手洗器の上側に設けたものが開示されている（例えば、特許文献３）。しかし、この場合には、手を洗浄して乾燥する際に圧迫感があり、使用者に圧迫感のない手乾燥装置が望まれ、洗面台上面部に温風吹き出しノズルを、洗面台下方に温風発生機を配置したタイプが普及している。
【特許文献１】登録実用新案第２５１９８８４号公報
【特許文献２】特開２００１−２０３３８号公報
【特許文献３】実開平２−１４１２９３号公報
【発明の開示】
【発明が解決しようとする課題】
【０００４】
ここで、特許文献１および２に示される手乾燥装置にあっては、熱源であるヒーターが吹出口から離れたところにあり、ダクトで温風を送付しているため、送風途中で長い待機時間があり、熱ロスが大きく吹出口温度が下がり乾燥時間の短縮化が図れなくなる。それに対して、ヒーターの容量を大きくすると途中の熱ロスをカバーできるが、ヒーターのエネルギーの有効利用からみると好ましくないという課題があった。特に冬には、手乾燥の初期段階で長い送風ダクト内の冷たい空気が吹き出され、初期に冷たい風が手に当たって使用者に冷たい思いをさせるという問題もあった。
【０００５】
また、前記課題を解決するために、吐出口の出来るだけ近いところにヒーターを設置することにより、その解決が可能となるが、前記ヒーターを吐出口の出来るだけ近いところの洗面台等の取付基体の上側に配置すると、手乾燥装置を運転していないときに手の洗浄によって生じる飛散水が、逆飛散水となって温風吹き出しノズル内に侵入してヒーターへの水による漏電および感電等の問題が生じるという新たな課題も有することになる。
【０００６】
そこで本発明は、使用時に圧迫感がなく、手乾燥開始と同時に手に温風を感じ、さらに乾燥時間の短く、エネルギーロスの少ない手乾燥装置を提供することを目的とする。
【課題を解決するための手段】
【０００７】
請求項１記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続する送風ダクトを備えた洗面一体型手乾燥装置であって、前記風吹出し連通室内にヒーターを設けたことを特徴とする。
【０００８】
請求項２記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記吹出空気連通室内にヒーターを設け、かつ、前記ヒーターと前記風吹出しノズルとの間に、前記風吹出しノズルから前記風吹出し連通室に流入する逆飛散水が前記ヒーターにかかるのを防御する防御手段を有したことを特徴とする。
【０００９】
請求項３記載の本発明の洗面一体型手乾燥装置は、請求項２に記載の手乾燥装置において、前記防御手段は、風吹出しノズル風路の延長線上で、かつ、風吹出しノズル口近傍の風吹出し連通室内の上部内壁面に、逆飛散水を受けて滴下する水返し滴下壁を設けたことを特徴とする。
【００１０】
請求項４記載の本発明の洗面一体型手乾燥装置は、請求項２または請求項３に記載の手乾燥装置において、前記防御手段は、風吹出し連通室内には、風吹出しノズルの風上側に前記風吹出口からの水の逆飛散水を堰止めする堰止壁を設けたことを特徴とする。
【００１１】
請求項５記載の本発明の洗面一体型手乾燥装置は、請求項２の手乾燥装置において、前記防御手段は、風吹出し連通室内の下部には、前記風吹出しノズルの風上側に前記風吹出しノズルからの水の逆飛散水の溜まり水による浸漬を防ぐヒーター台を設け、前記ヒーター台の上にヒーターを配設したことを特徴とする。
【００１２】
請求項６記載の本発明の洗面一体型手乾燥装置は、請求項１に記載の手乾燥装置において、前記風吹出し連通室内の下部には、前記ファンモーターと接続する送風ダクトとを連通させる開口周りに前記風吹出し連通室内に立ち上がり、送風ダクト内への逆飛散水の浸入を防止する防水壁を設けたことを特徴とする。
【００１３】
請求項７記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続する送風ダクトを備え、前記風吹出し連通室内にヒーターを設けた洗面一体型手乾燥装置であって、風吹出し連通室内には、前記ヒーターと前記風吹出しノズルとの間に、風吹出しノズルの風上側に前記風吹出口からの水の逆飛散水を堰止めするために設けた堰止壁と、前記風吹出しノズルの風上側に前記風吹出しノズルからの水の逆飛散水を堰止めするために設けたヒーター台と、前記風吹出し連通室内の下部に、前記ファンモーターと接続する送風ダクトとを連通させる開口周りに前記風吹出し連通室内に立ち上がり、送風ダクト内への逆飛散水の浸入を防止する防水壁とを備え、前記堰止壁、前記ヒーター台、前記防水壁の前記風吹出し連通室内の下部からの高さの関係は、前記堰止壁より前記防水壁を高く、前記防水壁よりさらに前記ヒーター台を高く配設したことを特徴とする。
【００１４】
請求項８記載の本発明の洗面一体型手乾燥装置は、請求項２に記載の手乾燥装置において、前記防御手段は、風吹出しノズル風路の延長線上で、かつ、風吹出しノズル口近傍の空気連通室内の上部内壁面に、風圧により開閉するダンパーを設け、前記ファンモーターの停止時に、前記ダンパーが前記風吹出しノズル風路を塞ぐことを特徴とする。
【００１５】
請求項９記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記洗面器の内面方向に吹出気流を案内する案内板を前記風吹出しノズル内に設けたことを特徴とする。
【００１６】
請求項１０記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと手を乾燥する手洗いスペースを有し、前記風吹出しノズルを設けた風吹出し連通室と、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室内で通風路を形成し、前記風吹出しノズルからの吹出気流を整流する格子形状をした整流放熱フィンを有するＰＴＣヒーターを設けたことを特徴とする。
【００１７】
請求項１１記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、通風路を横断する板状の発熱素子の両面に、通風路の流れに添って波形の整流放熱フィンを植設したことを特徴とする。
【００１８】
請求項１２記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを設けた風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記吹出空気連通室内にヒーターを設け、前記ファンモーターおよびその制御をおこなう制御基板を組み込んだ収納ボックスを有し、前記収納ボックスのファンモーター吸い込み側の吸込口に、除塵と脱臭と消音と殺菌のいずれか若しくはそれらの組み合わせの特性を有するフィルターを設けたことを特徴とする。
【００１９】
請求項１３記載の本発明の洗面一体型手乾燥装置は、手を洗浄し乾燥する洗面器の上部に、洗浄水を出す水吐出口と、その近傍に洗浄した手の湿りを強制的に温風乾燥する風吹出しノズルと手を乾燥する手洗いスペースと、前記風吹出しノズルを有する風吹出し連通室とを有し、前記風吹出し連通室に空気を供給するファンモーターを前記洗面器の下部に設け、前記風吹出し連通室とファンモーターを接続する送風ダクトを備えた洗面一体型手乾燥装置であって、前記風吹出し連通室内にヒーターを設け、前記ファンモーターおよびその制御をおこなう制御基板を組み込んだ収納ボックスを有し、前記収納ボックスの前面側に凹部接続スペースを設け、前記ヒーターからの配線を接続する電気接続部を、前記凹部接続スペースの奥の面または天面に配設したことを特徴とする。
【００２０】
請求項１４記載の本発明の洗面一体型手乾燥装置は、請求項１３に記載の手乾燥装置において、前記凹部接続スペースは、前記前面側の開口部が前記凹部接続スペースの奥の面から前面側に向かって拡大して形成されたことを特徴とする。
【００２１】
請求項１５記載の本発明の洗面一体型手乾燥装置は、請求項１３または請求項１４に記載の手乾燥装置において、前記ファンモーター吸い込み側の吸込口に設けたフィルターを前記収納ボックスの下部に設け、前記ヒーターからの配線を接続する電気接続部を前記収納ボックスの上部に配設したことを特徴とする。
【発明の効果】
【００２２】
本発明によれば、圧迫感を受けることなく使用することができ、ヒーターを洗面器の上部の風吹出しノズルを設けた風吹出し連通室内に配置する運転後すぐ温風の吹き出す構成により、省エネルギーでかつ乾燥時間の短い洗面一体型手乾燥装置を提供できる。
【００２３】
また、本発明によれば、前記ヒーターを洗面器の上部の風吹出しノズルを設けた風吹出し連通室内に配置しても、手を洗浄した際に生じる逆飛散水がヒーターにかかり、電気的な悪影響を及ぼすことを防御することができる。
【発明を実施するための最良の形態】
【００２４】
本発明の第１の実施の形態による洗面一体型手乾燥装置は、手を洗浄し乾燥する洗面器の上部に、洗浄水を出す水吐出口と、その近傍に洗浄した手の湿りを強制的に温風乾燥する風吹出しノズルと、手を乾燥する手洗いスペースと、前記風吹出しノズルを設けた風吹出し連通室とを有し、前記風吹出し連通室に空気を供給するファンモーターを前記洗面器の下部に設け、前記風吹出し連通室と前記ファンモーターを接続する送風ダクトを備えた洗面一体型手乾燥装置であって、前記風吹出し連通室内にヒーターを設けたものである。これにより、ヒーターが風吹出口の近傍に配設されているため、手を挿入すると同時に温風を吹き出すことが可能であり、手への初期の冷風の不快感をなくし、更に水滴の蒸発を促進して乾燥時間の短縮を図ることができる。
【００２５】
本発明の第２の実施の形態による洗面一体型手乾燥装置は、本装置の吹出空気連通室内にヒーターを設け、かつ、前記ヒーターと前記風吹出しノズルとの間に、前記風吹出しノズルから前記風吹出し連通室に流入する逆飛散水が前記ヒーターにかかるのを防御する防御手段を有したものである。これにより、洗面一体型手乾燥装置が停止しているときに、手の洗浄により生ずる逆飛散水の浸入を想定し、ヒーターに水滴が掛かるのを防止することができる。
【００２６】
本発明の第３の実施の形態は、第２の実施の形態による洗面一体型手乾燥装置において、風吹出しノズル風路の延長線上で、かつ、風吹出しノズル内の風路近傍で風吹出し連通室内の上部内壁面に、逆飛散水を受けて滴下する水返し滴下壁を設けたものである。これにより、ファンモーターからの風の流れはスムーズであるが、風吹出しノズルからの逆飛散水は前記水返し滴下壁で妨げられる構造のため、風路の損失抵抗を低減してヒーターへの水の防御を図ることができる。
【００２７】
本発明の第４の実施の形態は、第２または第３の実施の形態による洗面一体型手乾燥装置において、風吹出し連通室内に、風吹出しノズルの風上側に風吹出口からの水の逆飛散水を堰止めする堰止壁を設けたものである。これにより、風吹出しノズルから入った逆飛散水を堰止めし、ヒーターを保護するものである。
【００２８】
本発明の第５の実施の形態は、第２の実施の形態による洗面一体型手乾燥装置において、風吹出し連通室内の下部には、前記風吹出しノズルの風上側に風吹出口からの水の逆飛散水の溜まり水による浸漬を防ぐヒーター台を設け、前記ヒーター台の上にヒーターを配設したものである。これにより、風吹出しノズルから入った逆飛散水が風吹出し連通室の内部に溜まった場合でもヒーターを架台の上に乗せて保護するものである。
【００２９】
本発明の第６の実施の形態は、第１の実施の形態による洗面一体型手乾燥装置において、風吹出し連通室内の下部に、前記ファンモーターと接続する送風ダクトとを連通させる開口周りに前記風吹出し連通室内に立ち上がり、送風ダクト内への逆飛散水の浸入を防止する防水壁を設けたものである。これにより、風吹出し連通室内に入った逆飛散水が、洗面器の下部に設けた送風ダクトから収納ボックス内に入いることを防ぐものである。
【００３０】
本発明の第７の実施の形態は、前記堰止壁、前記ヒーター台、前記防水壁の前記風吹出し連通室内の下部からの高さの関係は、前記堰止壁より前記防水壁を高く、前記防水壁よりさらに前記ヒーター台を高く配設したものである。これにより、風吹出しノズルから入った逆飛散水が溜まってきたときに、ヒーターを最も保護する構成としたものである。
【００３１】
本発明の第８の実施の形態は、第２の実施の形態による手乾燥装置において、前記風吹出し連通室内の上部内壁面に、風圧により開閉するダンパーを設け、前記ファンモーターの停止時に、前記ダンパーが前記風吹出しノズル風路を塞ぐものである。これにより、風路の損失抵抗を低減してヒーターへの水の防御を図ることができる。
【００３２】
本発明の第９の実施の形態は、洗面器の内面方向に吹出気流を案内する案内板を前記風吹出しノズル内に設けたものである。これにより、洗浄した手の方向に温風を吹き出すことを可能としている。
【００３３】
本発明の第１０の実施の形態は、風吹出し連通室内で通風路を形成し、前記風吹出しノズルからの吹出気流を整流する格子形状をした整流放熱フィンを有するＰＴＣヒーターを設けたものである。これにより、気流を整流するため、風路上の損失抵抗の低減を図りながら、加温をすることができる。
【００３４】
本発明の第１１の実施の形態は、通風路を横断する板状の半導体発熱素子の両面に、通風路の流れに添って波形の整流放熱フィンを植設したものである。これにより、気流を整流するため、風路上での損失抵抗の低減を図りながら、加温をすることができる。
【００３５】
本発明の第１２の実施の形態は、収納ボックスのファンモーターの吸い込み側に設けた吸込口に、除塵と脱臭と消音と殺菌のいずれか若しくはそれらの組み合わせの特性を有するフィルターを設けたものである。これにより、ファンモーターおよびヒーターへの塵埃および手を乾燥する者に対して不快感を与えずに手を乾燥することができる。
【００３６】
本発明の第１３の実施の形態は、前記ファンモーターおよびその制御をおこなう制御基板を組み込んだ収納ボックスを有し、前記収納ボックスの前面側に凹部接続スペースを設け、前記ヒーターからの配線を接続する電気接続部を、前記凹部接続スペースの奥の面または天面に配設したものである。これにより、前記収納ボックスの天板の下部でかつ収納ボックスの奥部に、電気接続部を配設することができるため、洗面器から水が漏れても、電気接続部に水がかかることを防ぐことができる。
【００３７】
本発明の第１４の実施の形態は、第１３の実施の形態による洗面一体型手乾燥装置において、前記凹部接続スペースは、前記前面側の開口部が前記凹部接続スペースの奥の面から前面側に向かって拡大して形成されたものである。これにより、電気接続部の脱着を容易とすることができる。
【００３８】
本発明の第１５の実施の形態は、第１３または第１４の実施の形態による洗面一体型手乾燥装置において、前記ファンモーター吸い込み側の吸込口に設けたフィルターを前記収納ボックスの下部に設け、前記ヒーターからの配線を接続する電気接続部を前記収納ボックスの上部に配設したものである。これにより、電気接続部が、吸込口の上部に設けているため、電気接続部への水の影響を避けることができる。
【００３９】
以下、本発明の一実施の形態について図面を参照しながら説明する。
【００４０】
（実施の形態１）
図１から図４を用いて本実施の形態による洗面一体型手乾燥装置の外観形状について説明をおこなう。図１は本発明の実施の形態１による洗面一体型手乾燥装置を組み込んだ全自動洗面器の斜視図、図２は同装置の扉を開けた状態の斜視図、図３は同装置の扉を開けた状態の正面図、図４は同装置の縦断面図である。
【００４１】
先ず初めに、手を洗浄し乾燥する洗面一体型手乾燥装置を組み込んだ全自動洗面器１の外観形状について説明する。図１から図４に示すように、床１６に置かれた箱状の洗面台外装２の上部には、ボウル状の手洗いスペース４を有し底面に水を排水する排水口２６を有する洗面器３を設け、さらにその奥上部には機能部ユニット１７を有している。機能部ユニット１７は、上端を開放した箱状の洗面ユニットボックス５と、上端の開口を天板６で覆った構成とし、内部には洗面台外装２内から延出した石鹸液吐出管４６と水吐出管４７と、風を吹き出す風吹出しユニット４８を備えている。そして、機能部ユニット１７前面には、洗面器３の手洗いスペース４に向けて左側から順に石鹸液吐出管４６と接続された石鹸液吐出口９、水吐出管４７と接続された水吐出口１１、風吹出しユニット４８の先端に設けた風吹出口１３が配設されている。また石鹸液吐出口９の近傍には石鹸液吐出センサー１０、水吐出口１１の近傍には水吐出センサー１２、風吹出口１３の近傍には風吹出しセンサー１４を設けている。洗面台外装２内の底面には、石鹸や水あるいは風を制御する水・石鹸液制御ボックス２０と、高速風を発生させる送風ボックス本体２１を設けている。
【００４２】
そして、前記送風ボックス本体２１と、洗面器３の上部に設けた風吹出し部分の風吹出しユニット４８との間は、送風ダクト２２で接続している。
【００４３】
次に、図４、図５を用いて洗面一体型手乾燥装置の風吹出しユニット４８について説明する。図５は同装置の風吹出しユニット４８の縦断面図である。風吹出しユニット４８の外殻は主に、下部に突出した筒状のノズルダクト接続部２９を有し、上部を開口したノズルケース下３０と、この上部の開口を塞ぐノズルケース上３１とで構成されている。そして、ノズルケース下３０には細く絞ったスリット状の風吹出口１３を有する風吹出しノズル２４が備えられ、風吹出口１３は風吹出口１３とノズルダクト接続部２９の風路の間に設けた風吹出し連通室２３を経由して、ノズルダクト接続部２９と連通している。そして、風吹出し連通室２３内には、ヒーター２７が風の流れの方向に対して直角に設けられている。
【００４４】
上記構成により、図３に示すように石鹸液吐出口９の前方に手を差し出すと、石鹸液吐出センサー１０がこれを検知して水・石鹸液制御ボックス２０から石鹸液吐出管４６を通じて石鹸液吐出口９から自動的にムース状の石鹸液が吐出する。次に、水吐出口１１の前方に手を差し出すと、水吐出センサー１２がこれを検知して湯と水が混合して水吐出管を通じて水吐出口１１から自動的に温水が吐出し、手を綺麗に洗うことができる。その後、さらに風吹出口１３の前方に手を差し出すと、風吹出しセンサー１４がこれを検知して風吐出口１３から自動的に高速温風が吹き出し、手に付着した水滴を吹き飛ばすとともに濡れた手を温風で乾燥させる。
【００４５】
このとき、高速風で吹き飛ばされた水滴は、図４に示すように洗面器３に受けられて排水口２６から排水管１８によって外部に排水される。
【００４６】
本体ダクト接続部７４まで送られた空気は、図４と図５に示すように、本体ダクト接続部７４に接続された送風ダクト２２を通じて洗面ユニットボックス１７内の風吹出しユニット４８に送風される。送風された空気は、風吹出し連通室２３を通り、この風吹出し連通室２３内に設けたヒーター２７を通過することで暖められ、先端を絞った風吹出口１３から高速温風となって吐出される。
【００４７】
また、気密性については、ノズルケース下３０の周囲に設けたケースパッキン４９によりシールされ気密を保持し、洗面ユニットボックス５から突出している風吹出しユニット４８の風吹出口１３周囲内側には、吹出し部パッキン３５を設けて洗面ユニットボックス５との間でシールされている。ヒーター２７は、ノズルケース下３０とノズルケース上３１で挟む形で固定され、ヒーター２７上部のノズルケース上３１にはヒーター２７の温度を監視する温度過昇防止装置２８が設けられ、これを保護するためにさらに上部をノズルケース蓋３３で覆っている。
【００４８】
（実施の形態２）
図６は同装置の風吹出しユニットの縦断面図であり、実施の形態２は実施の形態１に対して図６に示すように、風吹出口１３風路の延長線上で、かつ、風吹出しノズル２４の内側上面に、垂れ壁形状をした水返し滴下壁３６Ａを設けたものである。そして、実施の形態１と同じ部分については同一の符号を用い、それらについての説明を省略する。
【００４９】
これにより、手や洗面器３などを洗う際に、風吹出口１３から逆飛散水が勢い良く風吹出し連通室２３内に浸入した場合でも、水返し滴下壁３６Ａにあたって下に落ちるため、直接ヒーター２７に水が掛かることを防ぎ、感電やショートによる故障を防ぐことができる。
【００５０】
更に、図７は風吹出しユニット４８の縦断面図であり、図６の水返し滴下壁３６Ａに対し、水返し滴下壁３６Ｂを風の吹出し方向に向けて滴下壁風上面２５を曲線形状としたものである。
【００５１】
これにより、風吹出し連通室２３内から風吹出口１３へは流線形状をしているため風の吹き出しの際の抵抗は少なくスムーズな流れを行うことができるが、風吹出口１３から入ってくる逆飛散水は水返し滴下壁３６Ｂで妨げられる。このため、風路の損失抵抗を増加させることなくヒーター２７への水の浸入の防御を図ることができる。
【００５２】
（実施の形態３）
図８は風吹出しユニットの縦断面図であり、実施の形態３は実施の形態１に対して図７に示すように、風吹出しユニット４８の風吹出し連通室２３底部で、かつ、ヒーター２７の下流側に、風吹出口１３からの水の逆飛散水を堰止めするため、板状の堰止壁３７を、風吹出し連通室２３底部を横断して立ち上げた構成としている。そして、実施の形態１と同じ部分については同一の符号を用い、それらについての説明を省略する。
【００５３】
これにより、手や洗面器３などを洗う際に、風吹出口１３から逆飛散水が風吹出し連通室２３内に浸入した場合でも堰止壁３７によって堰止められるため、風吹出し連通室２３底部に溜まった逆飛散水によってヒーター２７が浸漬し、感電やショートによる故障を防ぐことができる。
【００５４】
（実施の形態４）
図９は風吹出しユニット４８のヒーター２７周辺の縦断面図であり、実施の形態４は実施の形態１に対して風吹出し連通室２３内の底部に、風吹出口１３からの水の逆飛散水の溜まり水によるヒーター２７の浸漬を防ぐため、板状で上部に保持爪５０を有したヒーター台３４を風路と平行に２箇所立ち上げて設けている。そして、このヒーター台３４上の保持爪５０の間に嵌る形でヒーター２７を配設している。そして、実施の形態１と同じ部分については同一の符号を用い、それらについての説明を省略する。
【００５５】
これにより、手や洗面器３などを洗う際に、風吹出口１３から逆飛散水が風吹出し連通室２３内に浸入して底部に溜まった場合においても、ヒーター台３４によってヒーター２７が底上げされているため、ヒーター２７が水により浸漬し、感電やショートによる故障を防ぐことができる。
【００５６】
（実施の形態５）
図９は風吹出しユニット４８のヒーター２７周辺の縦断面図であり、実施の形態５は実施の形態１に対して風吹出しユニット４８の下部に設けた風吹出し連通室２３と連通したノズルダクト接続部２９の開口周りに、風吹出し連通室２３内に立ち上がり、送風ダクト２２内への逆飛散水の浸入を防止する防水壁３２を設けている。そして、実施の形態１と同じ部分については同一の符号を用い、それらについての説明を省略する。
【００５７】
これにより、手や洗面器３などを洗う際に、風吹出口１３から逆飛散水が風吹出し連通室２３内に浸入して底部に溜まっても、ノズルダクト接続部２９の開口周りの防水壁３２により、送風ダクト２２内への逆飛散水の浸入を防止することができる。
【００５８】
（実施の形態６）
図９は風吹出しユニット４８のヒーター２７周辺の縦断面図であり、実施の形態５は実施の形態１に対して以下の点で相違している。図９に示すように、風吹出しユニットの風吹出し連通室２３底部で、かつ、ヒーター２７の上流側に、風吹出口１３からの逆飛散水を堰止めする堰止壁と、風吹出し連通室２３内の底部に設けた逆飛散水の溜まり水によるヒーター２７の浸漬を防ぐヒーター台３４を設けている。そして、ノズルケース下３０の下部に突出した筒状のノズルダクト接続部２９は、風吹出し連通室２３内に立ち上げている。つまり、風吹出しユニット４８の下部に設けたノズルダクト接続部２９の開口周りが風吹出し連通室２３内に立ち上がり、送風ダクト２２内への逆飛散水の浸入を防止する防水壁３２を設けている。これら堰止壁３７、ヒーター台３４、防水壁３２の風吹出し連通室２３内の内底部からの高さの関係を、堰止壁３７より防水壁３２を高く、防水壁３２よりさらにヒーター台３４を高く配設したものである。つまり、Ｌ１＜Ｌ３＜Ｌ２の高さ関係になる。そして、実施の形態１と同じ部分については同一の符号を用い、それらについての説明を省略する。
【００５９】
これにより、まず、手や洗面器３などを洗う際に、風吹出口１３から逆飛散水が風吹出し連通室２３内に浸入した場合でも堰止壁３７によって堰止められる。しかし、これを水が乗り越えたとしても、ノズルダクト接続部２９の開口周りの防水壁３２により、送風ダクト２２内への逆飛散水の浸入を防止でき、さらにこれを乗り越えたとしてもヒーター台３４によって、逆飛散水に対してヒーター２７を最も保護するものである。
【００６０】
（実施の形態７）
図１０は風吹出しユニット４８の風吹出口１３周辺の縦断面図であり、実施の形態７は実施の形態１に対して相違している点を以下に説明する。図１０に示すように、ダンパー４１を、風吹出口１３風路の延長線上で、かつ、風吹出しノズル２４の内側上面に風吹出しノズル２４の風路方向に対して横断する形で設けている。このダンパー４１は、支点部３９を有し、自在に可動できる板状の遮へい板３８と、この遮へい板３８と風吹出しノズル２４の内側上面の間に設けたダンパーバネ４０から成り、風吹出口１３向に開閉し、風吹出しノズル２４の内側下面に当って止まる構成である。そして、実施の形態１と同じ部分については同一の符号を用い、それらについての説明を省略する。
【００６１】
これにより、本装置の停止時に手や洗面器３などを洗う際、風吹出口１３から逆飛散水が風吹出しノズル２４内に浸入しても、ダンパー４１のダンパーバネ４０の反力によって遮へい板３８を押し、風吹出しノズル２４の内側下面に当って止まっている状態になっているため、風吹出しノズル２４内の風路が遮断され、風吹出し連通室２３内への逆飛散水の浸入を防ぐことができる。また、本装置が運転し、風吹出口１３から風が出ている時は、風圧により遮へい板３８が押され、ダンパーバネ４０が曲がることでダンパー４１が開いて通風状態となる。このときは、高速風が風吹出口１３から出ているため、逆飛散水が風吹出しノズル２４内に浸入することはない。したがって、ヒーター２７が水により浸漬し、感電やショートによる故障を防ぐことができる。
【００６２】
なお、ダンパー４１にダンパーバネ４０を設けず、遮へい板３８の自重によりダンパー４１が閉じる構成にしても良い。
【００６３】
（実施の形態８）
図１１は風吹出しユニット４８を平面から見た平面部分断面図であり、実施の形態８は実施の形態１に対して、洗面器３の内面方向に吹出気流を案内する案内板４２を、風吹出しノズル２４内の風路を縦に仕切り、吹出気流を洗面器３に向けて複数個設けている。そして、実施の形態１と同じ部分については同一の符号を用い、それらについての説明を省略する。
【００６４】
これにより、風吹出し連通室２３内まで送風された空気は、ヒーター２７により暖められ、風吹出しノズル２４内の案内板４２によって洗面器３の内面方向に吹出気流を向けることができることで、手乾燥時、使用者が手を差し出す方向に風が向くこととなり、手を乾燥させやすくなり使い勝手も良くなる。
【００６５】
（実施の形態９）
図１１および図１２で説明する。図１２は、風吹出しユニット４８の風吹出口１３周辺の横断面図であり、実施の形態９は実施の形態１に対して相違している点を以下に説明する。図１１および図１２に示すように、風吹出し連通室２３内の風路を横断するようにＰＴＣヒーター５１を設けている。そのＰＴＣヒーター５１は、半導体発熱素子４３の両側に風吹出しノズル２４からの吹出気流を整流する格子形状で端部にヒーター端子４５を有する整流放熱フィン４４を設けた構成であり、この格子形状の整流放熱フィン４４の中を空気が流れることで風吹出し連通室２３内の通風路を形成している。
【００６６】
また、ＰＴＣヒーター５１は、半導体発熱素子４３の両側に設けたアルミ製の整流放熱フィン４４の端部に設けたヒーター端子４５に電圧を加えることで半導体発熱素子４３が発熱し、熱が両側の整流放熱フィン４４に伝わる。この整流放熱フィン４４に伝わった熱を、整流放熱フィン４４内を流れる吹出気流が奪うことで、吹出気流が暖められる。そして、実施の形態１と同じ部分については同一の符号を用い、それらについての説明を省略する。
【００６７】
これにより、風吹出し連通室２３内まで送風された空気は、ＰＴＣヒーター５１の整流放熱フィン４４を通過することで、ＰＴＣヒーター５１によって加温と整流を兼用しているために、風路上での損失抵抗の低減を図りながら加温することができる。そして、ＰＴＣヒーター５１を案内板の方向に向けることで、吹出気流の方向を変えることができる。
【００６８】
また、ＰＴＣヒーター５１の両側に配置した整流放熱フィン４４に異極電圧を印加する構成のため、万が一、水が下部の整流放熱フィン４４が浸漬した場合でも同時に異極が浸漬することを保護している。なお、ここでは安全を考慮して加熱暴走の無いＰＴＣヒーター５１としたが、ニクロム線ヒーター、セラミックヒーターなどのヒーター２７でも発熱体であれば効果は同じである。
【００６９】
（実施の形態１０）
送風部分について、図１４から図１８を用いて送風ボックス本体２１について説明する。図１４は同装置の送風ボックス本体の正面図、図１５は同装置の送風ボックス本体の側面断面図、図１６は同装置の送風ボックス本体の正面断面図、図１７は同装置の送風ボックス本体の正面断面図の本体カバーを取り外した図、図１８は同装置の送風ボックス本体の側面断面図の裏板を倒した図である。送風ボックス本体２１は、本体脚６０を有した底板８５と、内面に制御基板８２を固定した裏板８０と、前面と片側面を一体とした前側板９３と、上面ともう一方の片側面を一体とした本体カバー７２で覆われており、内部にはファンモーター８７を組み込み、モーター吸込口９４とモーター吹出口９５を有している。このモーター吹出口９５には、送風ボックス本体２１から上に貫通し突出する形で設けられた筒状の本体ダクト接続部７４が接続されている。
【００７０】
また、送風ボックス本体２１の前面には、上部に電気接続部６９を有し、下部には操作表示部６２を設けている。上部の電気接続部６９は、送風ボックス本体２１前面上部を凹ませるとともに下方に向けて傾斜した凹部傾斜部８１を有する凹部接続スペース７５に設けられ、この凹部接続スペース７５は本体カバー７２に設けられた接続部カバー７３で上部が覆われているため、洗面器からの水漏れがあり送風ボックス本体２１の水がかかった場合でも、凹部接続スペース７５に浸入することなく電気接続部６９に水が付着することを防御している。
【００７１】
また、電気接続部６９は、電源コード６８を接続する電源接続部７０や風吹出しユニット４８のヒーター２７に電気を供給するヒーターコード７７を接続するヒーター接続部７１で構成されている。また、これら電気接続部６９は送風ボックス本体２１に固定された接続受け部８４と、電源コード６８やヒーターコード７７の先端に設けられた接続差込部８３で構成され、接続差込部８３は接続受け部８４に自在に着脱でき電気的に接続できるようになっている。さらに、電源コード６８やヒーターコード７７は、コードクリップ６７で、電気接続部６９より低い位置で固定されている。
【００７２】
また、凹部接続スペース７５の下部には空気を吸い込む吸込口６１を有し、この吸込口６１の前面に取り外し可能な粉塵フィルター７６が設けられている。そのため、洗面器３からの水の漏れが多く、送風ボックス本体２１の底面が水により覆われ粉塵フィルター７６から水が浸入しても、上部に設けた電気接続部６９は保護されている。
【００７３】
また、裏板８０の下部に爪部９１を設けるとともに、底板８５にも爪部９１が入る爪穴部９２を設け、爪部９１を爪穴部９２に差し込むことで裏板８０の下部が支点となり、本体カバー７２をはずした際に裏板８０自身が後ろに倒れる構成となっている。
【００７４】
ここで、ファンモーター８７を運転すると、吸込口６１から空気と一緒に吸い込まれたゴミや埃などは、吸込口６１に設けられた粉塵フィルター７６を通過することで除去され、清浄な空気として内部に取り込まれる。この取り込まれた空気は、モーター吸込口９４からファンモーター８７内に吸い込まれ、モーター吹出口９５から本体ダクト接続部７４を通じて風吹出し連通室２３内に送りだされる。
【００７５】
一方、メンテナンス等をおこなう場合は、送風ボックス本体２１前面上部に凹ませた凹部接続スペース７５は、送風ボックス本体２１前面上部から下方に向けて傾斜した凹部傾斜部８１を有するため、電源コード６８やヒーターコード７７の先端に設けられた接続差込部８３と、接続受け部８４の着脱を容易におこなうことができる。
【産業上の利用可能性】
【００７６】
本発明の洗面一体型手乾燥装置は、公衆トイレや飲食店の調理場や病院の手術室、一般家庭用においても利用可能である。
【図面の簡単な説明】
【００７７】
【図１】本発明の一実施形態の洗面一体型手乾燥装置を組み込んだ全自動洗面器の斜視図
【図２】同装置を組み込んだ全自動洗面器の扉を開けた状態の斜視図
【図３】同装置を組み込んだ全自動洗面器の扉を開けた状態の正面図
【図４】同装置を組み込んだ全自動洗面器の縦断面図
【図５】同装置の風吹出しユニットの縦断面図
【図６】同装置の風吹出しユニットの縦断面図で、水返し滴下壁周辺の拡大図
【図７】同装置の風吹出しユニットの縦断面図で、滴下壁風上面が滑らかな水返し滴下壁周辺の拡大図
【図８】同装置の風吹出しユニットの縦断面図で、堰止壁周辺の拡大図
【図９】同装置の風吹出しユニットの縦断面図で、ヒーター周辺の拡大図
【図１０】同装置の風吹出しユニットの縦断面図で、風吹出しノズル周辺の拡大図
【図１１】本発明の一実施形態の洗面一体型手乾燥装置の風吹出しユニットを平面から見た平面部分断面図
【図１２】本発明の一実施形態の洗面一体型手乾燥装置のヒーターを、図１１のＹ方向から見た図
【図１３】同装置を組み込んだ全自動洗面器を上から見た図で、吹出し方向を示した図
【図１４】本発明の一実施形態の洗面一体型手乾燥装置の送風ボックス本体の正面図
【図１５】同装置の送風ボックス本体の側面断面図で、風の流れを示す図
【図１６】同装置の送風ボックス本体の正面断面図で、風の流れを示す図
【図１７】同装置の送風ボックス本体の正面断面図の本体カバーを取り外した図
【図１８】同装置の送風ボックス本体の側面断面図の裏板を倒した図
【図１９】従来の自動手乾燥装置の一例を示す図
【符号の説明】
【００７８】
３      洗面器
４      手洗いスペース
１１    水吐出口
１３    風吹出口
２２    送風ダクト
２３    風吹出し連通室
２４    風吹出しノズル
２７    ヒーター
３２    防水壁
３４    ヒーター台
３６    水返し滴下壁
３７    堰止壁
４１    ダンパー
４２    案内板
４３    半導体発熱素子
４４    整流放熱フィン
５１    ＰＴＣヒーター
６１    吸込口
６９    電気接続部
７５    凹部接続スペース
７６    粉塵フィルター
７８    収納ボックス
７９    開口部
８２    制御基板
８７    ファンモーター
【図１】
2006304926.tif 000003
【図２】
2006304926.tif 000004
【図３】
2006304926.tif 000005
【図４】
2006304926.tif 000006
【図５】
2006304926.tif 000007
【図６】
2006304926.tif 000008
【図７】
2006304926.tif 000009
【図８】
2006304926.tif 000010
【図９】
2006304926.tif 000011
【図１０】
2006304926.tif 000012
【図１１】
2006304926.tif 000013
【図１２】
2006304926.tif 000014
【図１３】
2006304926.tif 000015
【図１４】
2006304926.tif 000016
【図１５】
2006304926.tif 000017
【図１６】
2006304926.tif 000018
【図１７】
2006304926.tif 000019
【図１８】
2006304926.tif 000020
【図１９】
2006304926.tif 000021